(57)【要約】【課題】ルックアップテーブルメモリの容量を大量に増やすことなく、同じ画像の連続プリント時に温度が変化しても、プリント仕上がりに違いが生じないようにする。【解決手段】検出された温度ＴがＴｈ＿Ａ以上、又はＴｈ＿Ｉ未満であると判定された場合には、温度Ｔに近い上下２個のルックアップテーブルから温度Ｔに対応するルックアップテーブル（ＬＵＴ＿Ｎ）が直線補間演算により算出され、フラッシュメモリに保存される。ＭＰＵは、ＬＵＴ＿Ｎを参照して画像データをプリントデータに変換してＩｒＤＡ／ＬＣＳ制御部にセットする。ＩｒＤＡ／ＬＣＳ制御部は、前記プリントデータに基づいて光ヘッド部の液晶シャッタアレイの各シャッタの開口時間を制御する。各シャッタを通過するＲ，Ｇ，Ｂ３色の光量がそれぞれ調節され、インスタントフイルム上に書き込みが行なわれる。【選択図】図１２
2007118430.tif 000002
【特許請求の範囲】
【請求項１】
記録媒体上に画像データに応じた露光を行うことにより記録媒体上に潜像を形成し、この潜像を現像することにより記録媒体上に画像を記録するプリンタにおいて、
外部から画像データを取得する画像データ取得部と、
この画像データ取得部によって取得された画像データを記録媒体への露光用のプリントデータに変換するデータ変換部と、
前記プリントデータに基づいて記録媒体を露光する画像露光部と、
この画像露光部による露光により記録媒体上に形成された潜像を現像する現像部と、
少なくとも画像露光部の温度を検出する温度検出部とを備え、
前記データ変換部は、使用可能温度範囲を複数の温度領域に区分し、各温度領域ごとに異なる補正量で画像データをプリントデータに変換するルックアップテーブルを有し、前記画像データの変換にあたり、前記温度検出部で検出された温度と各温度領域ごとのルックアップテーブルとを用いて、前記検出された温度に対応するルックアップテーブルを補間演算で求め、この求めたルックアップテーブルを用いて画像データの変換を行うことを特徴とするプリンタ。
【請求項２】
前記画像露光部は、前記温度検出部で検出された温度が前記使用可能温度範囲外であったときは、前記記録媒体への露光を停止することを特徴とする請求項１記載のプリンタ。
【請求項３】
前記画像露光部は、前記記録媒体を外部に送り出しながらこれを露光し、前記現像部は、前記露光により潜像が記録された記録媒体を外部に送り出しながら、前記記録媒体に現像剤を展開することを特徴とする請求項１または２記載のプリンタ。
【請求項４】
前記画像露光部は、
２色以上の各色光を発する発光素子と、
前記発光素子から発光された色光を導く、前記記録媒体に沿って所定の主走査方向に延びる光ガイドと、
前記光ガイドの延びる主走査方向に配列され、前記光ガイドによって導かれた色光を主走査方向に並んだ光点として記録媒体に照射する、前記プリントデータに応じて開閉するシャッタとを備えたことを特徴とする請求項１ないし３いずれか記載のプリンタ。
【請求項５】
前記補間演算には、検出された温度の前後のルックアップテーブルを用いることを特徴とする請求項１ないし４いずれか記載のプリンタ。
【発明の詳細な説明】
【技術分野】
【０００１】
本発明は、記録媒体上に画像データに応じた露光を行うことにより記録媒体上に潜像を形成し、この潜像を現像することによりその記録媒体上に画像を記録するプリンタに関する。
【背景技術】
【０００２】
記録媒体上に画像データに応じた露光を行うことによりその記録媒体上に潜像を形成し、その潜像を現像することによりその記録媒体上に画像を記録するプリンタがある。このようなプリンタの中には、光ヘッド部によってインスタントフイルム上に潜像を形成するものがある。
【０００３】
前記光ヘッド部には、レッド（Ｒ）、グリーン（Ｇ）、ブルー（Ｂ）の発光色を持つ発光素子が配備され、それら発光素子で発光された光の光量が液晶シャッタアレイの各シャッタによって調節され、カラー画像の潜像が記録される。この液晶シャッタアレイの各シャッタの調節にあっては、シャッタのシャッタスピードいわゆる開口時間がシャッタごとに制御され、それらシャッタの開口中にインスタントフイルムに与えられるＲ，Ｇ，Ｂの各光量に応じた階調が得られる。
【０００４】
ところで、このような光ヘッド部を備えたプリンタは、環境温度の異なる地域、また四季を通じて使用される。このようにプリンタが異なる環境温度下で使用されると、記録媒体に記録された画像の階調などが変化してしまうことがある。そこで、環境温度が異なっても同じように使用することができるようにプリンタ内部に温度補正用のルックアップテーブルを設けて記録画像の出来栄えを揃える工夫が成されている。
【０００５】
しかし、液晶シャッタアレイ，発光素子及びインスタントフイルムのそれぞれに温度特性があるため、それぞれに応じてルックアップテーブルを作成すると、膨大なメモリ容量になってしまうという問題がある。また、ルックアップテーブル内の温度ごとの刻みを細かくすると、やはりメモリ容量が膨大になってしまう。
【０００６】
このようなメモリの容量が大きくなるルックアップテーブルを設ける代わりに、ヒータや冷却機構を用いて温度制御を行っているものもある。しかし、ヒータを用いるとバッテリの容量が大きくなり、冷却機構を設けると装置自体が大型化してしまうという問題がある。
【０００７】
そこで、例えば特許文献１記載の発明では、液晶シャッタの温度特性を予め取得しておき、その温度特性に応じて細かく補正すべき部分（５℃から１５℃程度まで）は細かく分割して補正し、それ以外（１５℃以上）は温度の刻み幅を大きくして大まかに補正するようにしてルックアップテーブルの容量を削減している。
【特許文献１】特開２００５−１７５７７号公報
【発明の開示】
【発明が解決しようとする課題】
【０００８】
ところが、上記特許文献１記載の発明では、温度閾値付近で同じ画像の連続プリント時に温度が変化すると、ある枚数で参照するルックアップテーブルが切り替わり、プリント仕上がりに濃度等の違いが生じることがある。
【０００９】
本発明は、ルックアップテーブルメモリの容量を大量に増やすことなく、同じ画像の連続プリント時に温度が変化しても、プリント仕上がりに違いが生じないようにすることができるプリンタを提供することを目的とする。
【課題を解決するための手段】
【００１０】
本発明のプリンタは、記録媒体上に画像データに応じた露光を行うことにより記録媒体上に潜像を形成し、この潜像を現像することにより記録媒体上に画像を記録するプリンタにおいて、外部から画像データを取得する画像データ取得部と、この画像データ取得部によって取得された画像データを記録媒体への露光用のプリントデータに変換するデータ変換部と、前記プリントデータに基づいて記録媒体を露光する画像露光部と、この画像露光部による露光により記録媒体上に形成された潜像を現像する現像部と、少なくとも画像露光部の温度を検出する温度検出部とを備え、前記データ変換部は、使用可能温度範囲を複数の温度領域に区分し、各温度領域ごとに異なる補正量で画像データをプリントデータに変換するルックアップテーブルを有し、前記画像データの変換にあたり、前記温度検出部で検出された温度と各温度領域ごとのルックアップテーブルとを用いて、前記検出された温度に対応するルックアップテーブルを補間演算で求め、この求めたルックアップテーブルを用いて画像データの変換を行うことを特徴とする。
【００１１】
また、前記画像露光部は、前記温度検出部で検出された温度が前記使用可能温度範囲外であったときは、前記記録媒体への露光を停止することを特徴とする。また、前記画像露光部は、前記記録媒体を外部に送り出しながらこれを露光し、前記現像部は、前記露光により潜像が記録された記録媒体を外部に送り出しながら、前記記録媒体に現像剤を展開することを特徴とする。
【００１２】
また、前記画像露光部は、２色以上の各色光を発する発光素子と、前記発光素子から発光された色光を導く、前記記録媒体に沿って所定の主走査方向に延びる光ガイドと、前記光ガイドの延びる主走査方向に配列され、前記光ガイドによって導かれた色光を主走査方向に並んだ光点として記録媒体に照射する、前記プリントデータに応じて開閉するシャッタとを備えたことを特徴とする。また、前記補間演算には、検出された温度の前後のルックアップテーブルを用いることを特徴とする。
【発明の効果】
【００１３】
本発明のプリンタによれば、使用可能温度範囲を複数の温度領域に区分し、各温度領域ごとに異なる補正量で画像データをプリントデータに変換するルックアップテーブルを有するデータ変換部を設け、画像データの変換にあたり、温度検出部で検出された温度と各温度領域ごとのルックアップテーブルとを用いて、前記検出された温度に対応するルックアップテーブルを補間演算で求め、この求めたルックアップテーブルを用いて画像データの変換を行うので、ルックアップテーブルメモリの容量を大量に増やすことなく、同じ画像の連続プリント時に温度が変化しても、プリント仕上がりに違いが生じないようにすることができる。
【００１４】
また、前記画像露光部は、温度検出部で検出された温度が使用可能温度範囲外であったときは、前記記録媒体への露光を停止することが好ましい。すなわち、使用可能温度範囲を超えた高温や低温では高画質の画像が得られないので、記録を行なわないようにしている。また、前記画像露光部は、記録媒体を外部に送り出しながらこれを露光し、現像部は、前記露光により潜像が記録された記録媒体を外部に送り出しながら、記録媒体に現像剤を展開するのが好ましい。
【００１５】
また、前記画像露光部は、２色以上の各色光を発する発光素子と、前記発光素子から発光された色光を導く、前記記録媒体に沿って所定の主走査方向に延びる光ガイドと、前記光ガイドの延びる主走査方向に配列され、前記光ガイドによって導かれた色光を主走査方向に並んだ光点として記録媒体に照射する、前記プリントデータに応じて開閉するシャッタとを備えたものであることが好ましい。特に光ガイドを用いることで、発光素子アレイを用いるよりもばらつきが軽減され、主走査方向での濃度むらが発生し難くなる。また、前記補間演算には、検出された温度の前後のルックアップテーブルを用いることが望ましい。
【発明を実施するための最良の形態】
【００１６】
本発明の一実施形態のプリンタを示す図１において、プリンタ１０は、薄型で軽量かつ小型の構造を有する可搬型であり、３Ｖ用の一次電池が２個内蔵される。このプリンタ１０の筐体１０ａ内にインスタントフイルムパックが装填され、そのインスタントフイルムパック内の、積層された１０枚のシート状をしたインスタントフイルムが一枚ずつ外に送り出されながら画像の記録が行われる。
【００１７】
プリンタ１０の筐体１０ａの上面には操作ボタンとして、このプリンタ１０の電源の投入および遮断を指示する電源スイッチ（以下、電源ＳＷと記述する）１１と、プリントスイッチ（以下プリントＳＷと記述する）１２が設けられている。また、筐体１０ａの上面には、インスタントフイルムの残り枚数を示すカウンタ１３が設けられている。
【００１８】
前記カウンタ１３は機械式のカウンタであり、未使用のインスタントフイルムパックが装填されると、残り枚数が１０枚であることを示す数値「１０」が表示される。以下、インスタントフイルムに画像の記録が行われる度に枚数が減算された残り枚数を示す数値が表示され、１０枚目のインスタントフイルムに画像の記録が行われると、残り枚数が０枚であることを示す数値「０」が表示される。なお、インスタントフイルムパックが抜かれた場合は、何も表示されないブランク状態となる。
【００１９】
また、プリンタ１０の端部には、赤外線通信によって送受信を行う送受信部１４が備えられている。この送受信部１４は、赤外線通信により送信されてきた画像データを受信するとともに、受信された旨を相手側に知らせるための信号を送信する。
【００２０】
さらに、前記筐体１０ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。なお、後述する画像書込部の温度がプリンタ１０の使用可能温度範囲外である場合には、前記ＬＥＤ１５〜１７が一斉に点滅する。
【００２１】
また、プリンタ１０の側面には、そのプリンタ１０の下面側に設けられた後述するフイルムドアを開放するためのフイルムドア開放ノブ１８が備えられており、コーナー部にはストラップ取付部１９が備えられている。
【００２２】
図２において、カメラ付き携帯電話２２の赤外線通信部をプリンタ１０の送受信部１４に向けた状態でカメラ付き携帯電話２２を操作し、カメラ付き携帯電話２２で撮影された画像の画像データを赤外線通信を用いてプリンタ１０に送信する。プリンタ１０は、赤外線通信により送信されてきた画像データを受信し、その受信した画像データに基づく潜像の記録を露光によりインスタントフイルム２４上に行いながら、そのインスタントフイルム２４を顕像しつつ、プリンタ１０の送出口２６から外部へ徐々に排出する。続いて、再びプリントＳＷ１２が操作されたときには、その画像と同じ画像が別のインスタントフイルム上に再記録される。
【００２３】
プリンタ１０の下面側には、図３に示すように、フイルムドア開放ノブ１８の操作により開放されるフイルムドア２８が設けられており、このフイルムドア２８が開けられ、インスタントフイルムパックが媒体装填室に装填される。また、フイルムドア２８には、インスタントフイルムパックが装填されているか否かを確認するためのパック在否確認窓２８ａが設けられている。さらに、フイルムドア２８に隣接して、プリンタ１０の電源となる電池を実装するために開放される電池室２９も設けられている。
【００２４】
フイルムドア２８が開けられた状態を示す図４において、フイルムドア２８の内側には、前述したパック在否確認窓２８ａと、バネ部材３１，３２が設けられており、これらのバネ部材３１，３２によってインスタントフイルムパック内に積層されたインスタントフイルムがプリンタ１０の上面側に押圧される。
【００２５】
フイルムドア２８を開けることによって、インスタントフイルムパックを装填するための媒体装填室３４が露呈される。この媒体装填室３４外の、図面左側には、搬送するインスタントフイルムに画像を書き込む画像書込部３６および媒体搬送部３８が設けられている。
【００２６】
また、媒体装填室３４内の、図面右方には、インスタントフイルムを画像書込部３６および媒体搬送部３８側に送り出すための爪（クロー）３９が設けられている。このような構成によって、インスタントフイルムパック内のインスタントフイルムのうちの、プリンタ１０の一番上面側にあるインスタントフイルムが爪３９で押し上げられて媒体搬送部３８で搬送されながら画像書込部３６で画像が書き込まれる。
【００２７】
前記媒体搬送部３８の一部を示す図５において、搬送ローラ４２は、バネ４４で搬送ローラ４１側に付勢されている。搬送ローラ４１，４２は、インスタントフイルムパック４５から送り出されたインスタントフイルム２４の両側部を挟んで搬送する。
【００２８】
また、展開ローラ４６は、バネ４８で展開ローラ４７側に付勢されている。展開ローラ４６，４７は、インスタントフイルム２４の現像溜まり２４ａを押し潰して現像剤を展開する。また、媒体搬送部３８には、搬送ローラ４１，４２と展開ローラ４６，４７との間に位置して展開中の現像剤を制御するための制御板５１,５２と、インスタントフイルム２４を案内するためのフイルム案内フレーム５４が備えられている。また、インスタントフイルムパック４５の出口近傍には、画像書込部３６が設けられている。
【００２９】
媒体搬送部３８は、インスタントフイルム２４を所定の搬送開始点Ｐｓから固定書込点Ｐｆを通過して所定の搬送終了点Ｐｅまで搬送する。画像書込部３６は、搬送中のインスタントフイルム２４に固定書込点Ｐｆで画像を書き込む。
【００３０】
画像書込部３６を構成する光ヘッド部５５を示す図６において、光ガイド５６の端部に配設された発光素子であるＬＥＤ５７Ｒ，５７Ｇ，５７Ｂの配列順序と、インスタントフイルム上に光点となって照射されるＲ、Ｇ、Ｂの光の進行方向が矢印によって模式的に示されている。
【００３１】
光ヘッド部５５は、光の３原色であるレッド（Ｒ），グリーン（Ｇ），ブルー（Ｂ）それぞれのＬＥＤ５７Ｒ，５７Ｇ，５７Ｂと、光ガイド５６と、液晶シャッタアレイ５８と、セルフォックレンズ（登録商標）５９とからなる。
【００３２】
ＬＥＤ５７Ｒ，５７Ｇ，５７Ｂそれぞれが光ガイド５６の端部に配設されており、ＬＥＤ５７Ｒ，５７Ｇ，５７Ｂから発光された光が順次光ガイド５６によってインスタントフイルム２４側に導かれる。このインスタントフイルム２４側に導かれた光の進路が光ガイド５６によって変更され、インスタントフイルム２４上にＲ，Ｇ，Ｂの順に照射される。
【００３３】
このＲ，Ｇ，Ｂの光が順次照射される度に各光が液晶シャッタアレイ５８の各シャッタを通り、その先にあるセルフォックレンズ（登録商標）５９を通ってインスタンフイルム２４の同一点にまで達する。液晶シャッタアレイ５８の各シャッタによってＲ，Ｇ，Ｂの光量がそれぞれ調節された光が、セルフォックレンズ（登録商標）５９によってインスタントフイルム２４上の一点に収束されて焦点のあった光点がインスタントフイルム２４上に多数記録される。
【００３４】
ここでは４８０素子の液晶シャッタアレイ５８を用いて画像データに応じて各シャッタの開口時間を制御することで画像データに応じた階調を持つ４８０の光点がインスタントフイルム２４上に記録される。これが副走査方向にも６４０ライン分記録され、４８０×６４０の光点がインスタントフイルム上に潜像として記録される。この潜像は、Ｒ，Ｇ，Ｂの３色の光をセルフォックレンズ（登録商標）５９によって同一の光点に記録させたカラー画像を表わす潜像である。この光ガイド５６と液晶シャッタアレイ５８とセルフォックレンズ（登録商標）５９とを備える光ヘッド部５５が、本発明の画像露光部に該当する。
【００３５】
プリンタ内部の制御系統を示す図７において、図面右端側にはプリンタ１０の模式図が示されており、この右端部を除く全域に、このプリンタ１０の制御系統を示す構成が示されている。プリンタ１０には、メイン基板部６０，サブ基板部６２，画像書込部３６，ＦＰＩ部６４，ＥＮＣＰＩ部６６，ＣＯＵＮＴＰＩ部６８，カムスイッチ７０，前述した送受信部１４に設けられたＩｒＤＡ送受信部７２及び直流のモータ７４が備えられている。
【００３６】
サブ基板部６２には、前述した電源ＳＷ１１，プリントＳＷ１２、および表示用ＬＥＤ部６３が備えられている。表示用ＬＥＤ部６３には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）等が含まれる。
【００３７】
画像書込部３６には、前記光ヘッド部５５と、これとメイン基板部６０とを接続するフレキシブルケーブル７８,７９とが備えられている。この画像書込部３６は、搬送途中のインスタントフイルム２４に、書込指示パルスに同期して送受信部１４により受信した画像データに基づいて、ＬＥＤ５７Ｒ，５７Ｇ，５７ＢからのＲ，Ｇ，Ｂの３つの色光を照射することにより、前記インスタントフイルム２４に潜像を書き込む。また、プリンタ１０には、３Ｖの一次電池８６が２個内蔵される。
【００３８】
以下、メイン基板部６０について説明する。メイン基板部６０には、直列接続された一次電池８６からの６Ｖの電源電圧ＶＢが印加される。メイン基板部６０には、ＭＰＵ(Micro Processor Unit)９１と、発振子９２と、リセット回路９３と、フラッシュメモリ（ＦＬＡＳＨ）９４と、ＳＤＲＡＭ９６とが備えられている。
【００３９】
ＭＰＵ９１は、プリンタ１０の動作を統括的に制御する。発振子９２は、所定の周波数の発振信号を生成してＭＰＵ９１に動作用のクロック信号として供給する。リセット回路９３は、ＭＰＵ９１の初期化を行うためのリセット信号を出力する。
【００４０】
フラッシュメモリ９４は、不揮発性のメモリであり、このフラッシュメモリ９４には、工場出荷時において、液晶シャッタアレイ５８の温度特性を予め取得し作成されたルックアップテーブルが記憶される。このルックアップテーブルについては詳しく後述する。
【００４１】
ＳＤＲＡＭ９６は、揮発性のメモリであり、このＳＤＲＡＭ９６には、カメラ付き携帯電話２２から送られた画像データ等が記憶される。
【００４２】
また、メイン基板部６０には、６Ｖの電源電圧ＶＢを入力して、２．５Ｖの電圧を出力する電源部９８、３．３Ｖの電圧を出力する電源部９９、および１５Ｖの電圧を出力するＤＣ／ＤＣコンバータ１００が備えられている。さらに、ＭＰＵ９１からの指示を受けてこれら電源部９８，９９，ＤＣ／ＤＣコンバータ１００を制御する電源制御部１０２も備えられている。ここで、２．５Ｖの電圧はＭＰＵ９１に供給されるとともに３．３Ｖの電圧はＭＰＵ９１以外の周辺回路に供給される。
【００４３】
さらに、メイン基板部６０には、ＢＣ部１０４と、ＴＰＧ部１０６と、温度検出部１０８と、発振子１１０と、ＩｒＤＡ／ＬＣＳ制御部１１２と、ヘッドＬＥＤ駆動部１１４とが備えられている。
【００４４】
ＢＣ部１０４は、一次電池８６の電源電圧ＶＢが所定の値よりも低下したか否かをチェックする。ＭＰＵ９１は、このチェック結果を参照して一次電池８６の電源電圧ＶＢが所定の値よりも低下していると判定した場合は、ユーザに電池交換を促すためにローバッテリ表示用のＬＥＤ１７を点灯する。ＴＰＧ部１０６は、ＤＣ／ＤＣコンバータ１００から出力される１５Ｖの電圧をオン，オフする。
【００４５】
温度検出部１０８は、画像書込部３６の温度を検出する。ＭＰＵ９１は、この温度検出部１０８からの検出信号に応じて、フラッシュメモリ９４に格納されているルックアップテーブルを参照して光ヘッド部５５内の液晶シャッタアレイ５８の各シャッタの開口時間等を制御する。発振子１１０は、所定の周波数の発振信号を生成してＩｒＤＡ／ＬＣＳ制御部１１２に供給する。
【００４６】
ＩｒＤＡ／ＬＣＳ制御部１１２は、発振子１１０からの発振信号に基づいてＩｒＤＡ送受信部７２および光ヘッド部５５を制御する。ＩｒＤＡ送受信部７２には赤外線通信を行うための投光素子および受光素子が備えられており、ＩｒＤＡ／ＬＣＳ制御部１１２は、前記受光素子で光電変換されたデータをＭＰＵ９１に送ったり、ＭＰＵ９１からその旨を外部の機器に知らせるためのデータを上記投光素子経由で外部に送信したりする。また、ＩｒＤＡ／ＬＣＳ制御部１１２は、ＭＰＵ９１からの指示に基づいて、フレキシブルケーブル７８を介して光ヘッド部５５の液晶シャッタアレイ５８を制御する。
【００４７】
ヘッドＬＥＤ駆動部１１４は、ＭＰＵ９１の指示に基づいた電流を、フレキシブルケーブル７９を経由してＬＥＤ５７Ｒ，５７Ｇ，５７Ｂに流すことにより、それらＬＥＤ５７Ｒ，５７Ｇ，５７Ｂを駆動する。
【００４８】
本実施形態のプリンタ１０は、インスタントフイルム２４をモータ７４で所定の副走査方向（インスタントフイルムが送り出される方向）に送りながら、インスタントフイルム２４上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行うことにより、そのインスタントフイルム２４上にカラー画像を記録するプリンタである。
【００４９】
カラー画像を記録するにあたり、画像書込部３６を構成する光ヘッド部５５には、フレキシブルケーブル７８を介してＩｒＤＡ／ＬＣＳ制御部１１２から画像データに応じた制御信号が供給される。この制御信号は、光ヘッド部５５内の液晶シャッタアレイ５８の各シャッタの開口時間を制御する。
【００５０】
各シャッタの開口時間が画像データに応じて制御され、ＬＥＤ５７Ｒ，５７Ｇ，５７ＢからのＲＧＢそれぞれに対応する光がインスタントフイルム２４上に照射され、インスタントフイルム２４の幅方向に多数の光点（ドット）からなる潜像が記録される。
【００５１】
この幅方向つまり一次元的に各シャッタ部が配列されている方向が、主走査方向である。従って、この各シャッタ部が主走査方向に電子的に走査されて１ライン分の光点（全画素）がインスタントフイルム２４上に記録される。この光ヘッド部５５の電子走査によってインスタントフイルム２４の主走査方向に多数のドットからなる光点が記録される。
【００５２】
また、上述したように、本実施形態では、モータ７４によりインスタントフイルム２４が副走査方向に送られている。従って、副走査方向についても画像書込部３６によって多数のドット毎に光点が順次記録されていくこととなる。
【００５３】
さらに、メイン基板部６０には、ＰＩ駆動部１１６が備えられている。このＰＩ駆動部１１６は、ＦＰＩ部６４，ＥＮＣＰＩ部６６，ＣＯＵＮＴＰＩ部６８を駆動する。ここで、ＦＰＩ部６４，ＥＮＣＰＩ部６６，ＣＯＵＮＴＰＩ部６８について説明する。
【００５４】
ＦＰＩ部６４は、インスタントフイルム２４の有無を検出して、後述するフイルム信号ＦＩＬＭ＿ＰＩを出力するためのフォトインタラプタである。このＦＰＩ部６４は、インスタントフイルム２４がインスタントフイルムパックに収容されている初期状態では、フイルム信号ＦＩＬＭ＿ＰＩとして‘Ｈ’レベルを出力する。また、モータ７４が回転してインスタントフイルム２４が搬送されてその先端が検出されると、フイルム信号ＦＩＬＭ＿ＰＩは‘Ｈ’レベルから‘Ｌ’レベルに変化する。さらに、そのインスタントフイルム２４が搬送され続けて後端が検出されるとフイルム信号ＦＩＬＭ＿ＰＩは‘Ｌ’レベルから‘Ｈ’レベルに変化する。
【００５５】
ＥＮＣＰＩ部６６は、モータ７４の回転に同期したパルス列からなる、エンコード信号ＥＮＣを出力するためのフォトインタラプタである。また、ＣＯＵＮＴＰＩ部６８は、カウンタ１３がリセット状態（インスタントフイルムパックが抜かれた状態）を検知するためのフォトインタラプタである。
【００５６】
また、メイン基板部６０には、カムスイッチ７０が接続されている。このカムスイッチ７０は、プリンタ１０の搬送機構における初期位置をモニタするためのスイッチであり、初期位置ではカムスイッチ７０からカムスイッチ信号ＣＡＭＳＷとして‘Ｈ’レベルが出力され、モータ７４の回転に伴い搬送機構が初期位置から外れるとカムスイッチ信号ＣＡＭＳＷは‘Ｈ’レベルから‘Ｌ’レベルに変化する。さらに、メイン基板部６０には、モータ駆動部１１８が備えられている。
【００５７】
また、ＭＰＵ９１は、ＳＤＲＡＭ９６に格納されている画像データの輝度データＹ’を解析し、図８に示すように、暗い画像は明るく、明るい画像は暗く、それぞれ好ましく仕上がるような補正係数αを求め、これを輝度データＹ’に対し加減算する。そして、この補正された画像データをＳＤＲＡＭ９６に格納する。
【００５８】
前記画像データは、光ヘッド部５５の温度に応じたプリントデータに変換される。この変換に際して参照されるルックアップテーブルを図９に示す。このルックアップテーブル１２０は、フラッシュメモリ９４内に格納され、プリンタ１０の使用可能温度範囲を８個の温度領域に分けたときのスレッショルドの温度Ｔｔｈ＿Ａ，・・・，ｔｈ＿Ｉ毎、かつそれぞれについてＲ，Ｇ，Ｂ毎に設けたＬＵＴ＿Ａ  Ｒ，Ｇ，Ｂ，ＬＵＴ＿Ｂ  Ｒ，Ｇ，Ｂ，・・・，ＬＵＴ＿Ｉ  Ｒ，Ｇ，Ｂからなる。ＭＰＵ９１は温度検出部１０８によって検出された温度に応じてルックアップテーブル１２０を参照し、画像データをプリントデータに変換する。
【００５９】
前記ルックアップテーブル１２０には、各温度ごとに、温度検出部１０８で検出された温度に対応する各シャッタの開口時間に相当する値が記録されている。
【００６０】
例えば温度検出部１０８で検出した温度がＴｔｈ＿Ａ〜Ｔｔｈ＿Ｂの温度領域内であれば、ルックアップテーブルＡ（ＬＵＴ＿Ａ）とルックアップテーブルＢ（ＬＵＴ＿Ｂ）から以降説明する補間演算より検出温度に相当したルックアップテーブルＮ（ＬＵＴ＿Ｎ）を算出する。算出したルックアップテーブルＮを参照し、画像データをプリントデータへ変換しＩｒＤＡ／ＬＣＳ制御部１１２にセットする。
【００６１】
液晶シャッタの温度に対する透過量の傾向を示す図１０のグラフにおいて、低温領域では温度１℃の変化に対応して透過量が激しく変化しており、温度が高くなるにつれて温度の変化に対応して変化する透過量の割合が徐々に小さくなっている。温度５℃、１５℃、２５℃に破線を示してあるが、５℃から１５℃の温度範囲内では透過量が激しく変化するのでスレッショルドの温度を細かく刻み、１５℃から２５℃の間においては若干その変化が緩やかになるので温度の刻みを拡げ、さらに２５℃以上では変化がさらに緩やかになるので更に温度の刻みを拡げる、つまり透過量の間隔が等間隔となるような温度閾値Ｔｔｈ＿Ａ〜Ｔｔｈ＿Ｉを設定すると、この図１０に示す特性にあった補正を精度良く行える。
【００６２】
Ｔｈ＿Ａ，・・・，Ｔｈ＿Ｉの具体的な温度を示す図１１において、Ｔｈ＿Ａが０℃、Ｔｈ＿Ｂが８℃、以降１４℃まで３℃ごとに温度テーブルを作成し、１４度以上では、４℃、５℃、６℃と順次その刻み幅を拡げている。このようにし、透過量の間隔が等間隔となるような温度閾値を設定する。このようにすると、メモリの容量を低減することができる。なお、図中、判定値として示される温度データは、温度の変換処理をどのように行うかに応じて変わるので、Ｔ．Ｂ．Ｄ（ＴｏＢｅ Ｄｅｓｉｒｅｄ：要求による）としてある。
【００６３】
このように構成されたプリンタ１０のプリントデータ補正の処理手順を示す図１２のフローチャートに従い、図１３〜図１５を参照して説明する。まず、このフローチャートの処理を行う前に、温度検出部１０８により検出した温度Ｔを取得する。画像の記録を行うときに、この温度Ｔがプリンタ１０の使用可能な温度範囲内であるか否かを判定する（ｓｔ１）。なお、温度範囲外となる低温、高温は、図１３に示すように、Ｔｈ＿Ａ未満であるか、Ｔｈ＿Ｉ以上であるかを指す。
【００６４】
温度検出部１０８により検出した温度がＴｈ＿Ａ未満かＴｈ＿Ｉ以上である場合には、プリント禁止動作を行う（ｓｔ２）とともに表示用ＬＥＤ６３が点滅して警告を発した後、フローの処理を終了する。
【００６５】
ステップｓｔ１でＴｈ＿Ａ以上、またはＴｈ＿Ｉ未満であると判定された場合には、温度検出部１０８で検出された温度Ｔに近い上下２個のルックアップテーブルをフラッシュメモリ９４から選択し（ｓｔ３）、温度Ｔに対応するルックアップテーブル（ＬＵＴ＿Ｎ）を算出する（ｓｔ４）。このＬＵＴ＿Ｎの算出について以下説明する。
【００６６】
例えば、温度Ｔ＝１０℃とすると、図１１に示すように、この温度ＴはＴｔｈ＿Ｂ（８℃）とＴｔｈ＿Ｃ（１１℃）との間にあるから、図１３に示すように、ＭＰＵ９１は、ＬＵＴ＿ＢとＬＵＴ＿Ｃを選択し、図１４に示すように、ＬＵＴ＿ＢとＬＵＴ＿Ｃから新たなＬＵＴ＿Ｎを算出する。この算出に際しては、図１５に示すように、ＬＵＴ＿ＢとＬＵＴ＿Ｃでの入力値ｉ（図１４参照）のＴＢＬ出力値をＤＢ０とＤＣ０とすると、直線補間演算より求めるＬＵＴ＿Ｎの出力値Ｄ０は、下記の数式（１）で表される。
【００６７】
Ｄ０＝ΔＤ・Δｔ／ΔＴ＋ＤＢ０  ・・・（１）
なお、ΔＤ＝ＤＣ０−ＤＢ０，ΔＴ＝Ｔｔｈ＿Ｃ−Ｔｔｈ＿Ｂ，Δｔ＝Ｔ−Ｔｔｈ＿Ｂ
【００６８】
上記数式（１）による計算を全入力値についてＲ，Ｇ，Ｂそれぞれについて行い、ＬＵＴ＿Ｎを算出する。これによって得られたＬＵＴ＿ＮはＳＤＲＡＭ９６またはフラッシュメモリ９４に保存される。
【００６９】
そして、ＭＰＵ９１は、ＬＵＴ＿Ｎを参照して画像データをプリントデータに変換し、このプリントデータをＩｒＤＡ／ＬＣＳ制御部１１２にセットする。インスタントフイルム２４が初期搬送速度で高速に搬送開始され、インスタントフイルム２４の先端が検出されると、モータ７４が低速回転に切り換えられ、インスタントフイルム２４が低速の書込搬送速度で搬送される。
【００７０】
ＩｒＤＡ／ＬＣＳ制御部１１２は、前記プリントデータに基づいて光ヘッド部５５の液晶シャッタアレイ５８の各シャッタの開口時間を制御する。これにより、各シャッタを通過するＲ，Ｇ，Ｂ３色の光量がそれぞれ調節され、インスタントフイルム２４上に書き込みが行なわれる。この書き込みが終了すると、インスタントフイルム２４は高速の送出搬送速度に変更されて搬送され、プリンタ１０の送出口２６から外部に排出される。
【００７１】
ＭＰＵ９１は、温度検出部１０８から出力された温度Ｔを露光動作の直前に、その都度取得し、温度Ｔが変化した際には、上述のように温度Ｔに対応したルックアップテーブル（ＬＵＴ＿Ｎ）を作成してプリントを行う。したがって、同じ画像の連続プリント時に温度Ｔが変化した場合でも、プリント仕上がりに濃度等の違いが発生することがない。
【００７２】
また、保存先をフラッシュメモリ９４とした場合、温度Ｔに対応して作成されたルックアップテーブルは、一旦フラッシュメモリ９４に記憶されるが、プリント前にその都度上書きされるから、フラッシュメモリ９４の容量を圧迫することがない。なお、作成したルックアップテーブルを例えば３個まで記憶できるようにし、これ以降に新たにルックアップテーブルが作成された場合には、古い順番にフラッシュメモリ９４から削除するようにしてもよい。
【００７３】
以上説明した実施形態では、補間演算として直線補間方式を用いたが、本発明はこれに限定されることなく、例えばスプライン補間方式を用いてもよい。また、上記実施形態では、インスタントフイルムに画像を露光する光源としてＲ，Ｇ，Ｂ（３色）のＬＥＤを用いたが、本発明はこれに限定されることなく、１色（モノトーン）や２色、またＲ，Ｇ，Ｂに１色を加えて４色を用いてもよい。
【００７４】
また、上記実施形態では、ルックアップテーブルは、液晶シャッタの温度特性のみに基づいて作成したが、本発明はこれに限定されることなく、例えば液晶シャッタとインスタントフイルムの両方の温度特性に基づいて作成したり、更にＬＥＤの温度特性を付加するなどして作成してもよい。また、上記実施形態では、画像データを赤外線通信によって取り込むようにしたが、本発明はこれに限定されることなく、例えばＵＳＢポートを設け、ＵＳＢメモリによって画像データを取り込むようにしてもよい。
【００７５】
また、上記実施形態では、搬送中のインスタントフイルムに画像を書き込むようにしたが、本発明はこれに限定されることなく、媒体装填室内で光ヘッド部を移動させてインスタントフイルムに画像を書き込むようにしてもよい。また、上記実施形態のプリンタではインスタントフイルムを用いたプリンタを掲げたが、感光材料に潜像を記録するプリンタであればどのようなものにでも適用可能である。
【図面の簡単な説明】
【００７６】
【図１】本発明の一実施形態のプリンタを斜め前方から示す斜視図である。
【図２】カメラ付き携帯電話から送られた画像データに基づいて画像をインスタントフイルムに記録して排出する様子を示すプリンタの説明図である。
【図３】プリンタの下面側を斜め上方から見た斜視図である。
【図４】フイルムドアが開けられたプリンタの状態を示す斜視図である。
【図５】媒体搬送部の一部を示す断面図である。
【図６】光学ヘッドの構成を示す模式図である。
【図７】プリンタ内部の制御系統を示す構成ブロック図である。
【図８】画像データの輝度データを補正するときの状態を示すグラフである。
【図９】ルックアップテーブルの構成を示す説明図である。
【図１０】液晶シャッタの温度に対する透過量の傾向を示すグラフである。
【図１１】図９のＴｈ＿Ａ，・・・，Ｔｈ＿Ｉの具体的な温度を示す図である。
【図１２】温度補正の処理手順を示すフローチャートである。
【図１３】温度センサで検出した温度に応じてＭＰＵが行なう処理を整理した表である。
【図１４】図９に示すルックアップテーブルのＲ（レッド）成分の入力値と出力値との関係を示すグラフである。
【図１５】直線補間演算を示すグラフである。
【符号の説明】
【００７７】
１０  プリンタ
１１  電源ＳＷ
１２  プリントＳＷ
１４  送受信部
２４  インスタントフイルム
３６  画像書込部
３８  媒体搬送部
５５  光ヘッド部
５７Ｒ，５７Ｇ，５７Ｂ  ＬＥＤ
５８  液晶シャッタアレイ
７２  ＩｒＤＡ送受信部
８６  一次電池
９１  ＭＰＵ
９４  フラッシュメモリ
１０８  温度検出部
１１２  ＩｒＤＡ／ＬＣＳ制御部
１２０  ルックアップテーブル
【図１】
2007118430.tif 000003
【図２】
2007118430.tif 000004
【図３】
2007118430.tif 000005
【図４】
2007118430.tif 000006
【図５】
2007118430.tif 000007
【図６】
2007118430.tif 000008
【図７】
2007118430.tif 000009
【図８】
2007118430.tif 000010
【図９】
2007118430.tif 000011
【図１０】
2007118430.tif 000012
【図１１】
2007118430.tif 000013
【図１２】
2007118430.tif 000014
【図１３】
2007118430.tif 000015
【図１４】
2007118430.tif 000016
【図１５】
2007118430.tif 000017